(57)【要約】  ファン室と吸気室との間の気密性の維持機能とパネル部材の防振機能とを同時かつ手軽に両立させることのできる空調用室内機が望まれていた。  この空調用室内機は、通風路１９を有する本体ケーシング１６と、本体ケーシング１６内に配置されて通風路１９をファン室１７と給気室１８とに通気可能に区画する基盤１０と、基盤１０上に設置された送風ファン２０と、給気室１８に配備された熱交換器１１と、基盤１０およびファン室１７前面の開口部２７を着脱自在に蓋止するパネル部材１とを備えて成り、熱交換器１１が後側に下降する傾斜に配置され、開口部２７を蓋止した状態のパネル部材１の背面１Ａと、基盤１０の前面１０Ａとの間に、上下方向の気密性を有する軟質材料製でラビリンス構造の気密部材１５を介在させて、給気室１８における熱交換器１１の空気入側１８Ａとファン室１７との間の空気流通を遮断したことを特徴とするものである。
2015177824.tif 000002
【特許請求の範囲】
【請求項１】
箱状に形成されていて箱内が通風路にされている本体ケーシングと、前記本体ケーシング内に配置されて前記通風路を上部のファン室と下部の給気室とに通気可能に区画する基盤と、前記ファン室内で前記基盤上に設置された送風ファンと、前記給気室に配備された冷媒回路の熱交換器と、前記基盤および前記ファン室の前面に形成された開口部を着脱自在に蓋止するパネル部材とを備えて成り、前記熱交換器の上辺部が前記基盤の前辺部の下面に固設され、前記熱交換器の下辺部が前記給気室内の後面に固設され、前記給気室の前面に空気吸込み口が形成され、前記ファン室に空気吹出し口が形成され、
前記開口部を蓋止した状態の前記パネル部材の背面と、前記基盤の前面との間に、上下方向の気密性を有する軟質材料製の気密部材を介在させて、前記給気室における前記熱交換器の空気入側と前記ファン室との間の空気流通を遮断したことを特徴とする空調用室内機。
【請求項２】
気密部材は、基盤の前面、または前記基盤の前面と対面するパネル部材の背面に片面が固着される基板部と、前記基板部の他面に上下離間して形成された複数の櫛歯状部とから成るラビリンス部材の一対で構成され、前記一対のラビリンス部材は、複数の櫛歯状部が互いに組み合わされて用いられることを特徴とする請求項１に記載の空調用室内機。
【請求項３】
前記開口部を蓋止した状態の前記パネル部材の背面と、前記基盤の前面との間に、２以上の気密部材を介在させることを特徴とする請求項１または請求項２に記載の空調用室内機。
【発明の詳細な説明】
【技術分野】
【０００１】
この発明は、空調用室内機のファン室の構造に係り、特にファン室の気密構造およびパネル部材の防振構造に関するものである。
【背景技術】
【０００２】
従来、空調用室内機のファン室の基盤上には送風ファンが設置されている。この送風ファンの振動をファン室の基盤に伝えないために、特許文献１、特許文献２、特許文献３などでは、送風ファンのファンモータを載置した上部架台に、バネ、ゴム、断熱材等の吸振体が設けられている（振動絶縁構造）。例えば、従来の空調用室内機では、空気調和された空気が、送風ファンを有するファン室から給気室に供給される。前述の送風ファンは振動を発生することから、騒音や化粧パネル（パネル部材）の振動の原因となる。そのため、基盤からパネル部材へのファン室の振動を遮断しなければならない。通常、送風ファンのファンモータは基盤上に吸振部材を介して設けられた防振架台に設置されている。【０００３】
この際、ファン室の空気は送風ファンによって吸引されているために、ファン室が負圧になっている。このことから、ファン室と給気室との間に隙間があると、熱交換器を通過していない一次側の空気を給気室からバイパスさせて吸い込んでしまう。このように、バイパス流路を形成すると運転効率が低下する。また、ファン室内で結露が発生する原因にもなることから、ファン室と給気室との間の気密性を維持するように、気密性および柔軟性を有する部材で塞ぐようにされている。
【先行技術文献】
【特許文献】
【０００４】
【特許文献１】特開２００７−１３９４１４号公報
【特許文献２】特開２００９−９２０３４号公報
【特許文献３】特開２０１１−２３２００３号公報
【発明の概要】
【発明が解決しようとする課題】
【０００５】
従来の空調用室内機におけるファン室の構造では、ファン室と給気室との間を気密にするために、ファン室と給気室との境目の構造を複雑にすることで実現しようとしていた。また、ファン室の基盤とパネル部材との間の隙間を無くし、遮断する目的で、過度な断熱材や吸振部材を設けざるを得ないという問題もあった。【０００６】
この発明は、上記のような課題を解決するためになされたもので、ファン室と吸気室との間の気密性の維持機能とパネル部材の防振機能を同時かつ手軽に両立させることのできる空調用室内機の提供を目的とする。
【課題を解決するための手段】
【０００７】
上記目的を達成するために、この発明に係る空調用室内機は、箱状に形成されていて箱内が通風路にされている本体ケーシングと、本体ケーシング内に配置されて通風路を上部のファン室と下部の給気室とに通気可能に区画する基盤と、ファン室内で基盤上に設置された送風ファンと、給気室に配備された冷媒回路の熱交換器と、基盤およびファン室の前面に形成された開口部を着脱自在に蓋止するパネル部材とを備えて成り、熱交換器の上辺部が基盤の前辺部の下面に固設され、熱交換器の下辺部が給気室内の後面に固設され、給気室の前面に空気吸込み口が形成され、ファン室に空気吹出し口が形成され、開口部を蓋止した状態のパネル部材の背面と、基盤の前面との間に、上下方向の気密性を有する軟質材料製の気密部材を介在させて、給気室における熱交換器の空気入側とファン室との間の空気流通を遮断したことを特徴とするものである。
【発明の効果】
【０００８】
この発明の空調用室内機は、ファン室前面の開口部を蓋止した状態のパネル部材の背面と、基盤の前面との間に、上下方向の気密性を有する軟質材料製の気密部材を介在させて、給気室における熱交換器の空気入側とファン室との隙間の空気流通を遮断するように構成したので、ファン室と給気室との間の空気のバイパス流れを防止することができる。加えて、前記の隙間を埋めるように軟質材料からなる気密部材を設けていることで、振動がパネル部材へ伝達することを抑制できるという効果も有する。
【図面の簡単な説明】
【０００９】
【図１】この発明の実施の形態１における空調用室内機の正面図である。
【図２】この発明の実施の形態１における空調用室内機の内部構造を示す正面図である。
【図３】この発明の実施の形態１における空調用室内機の内部構造を示す側面図である。
【図４】この発明の実施形態における空調用室内機の気密部材を示す図であって、（ａ）は実施の形態１における側断面図、（ｂ）は他の実施形態における側断面図、（ｃ）は更に他の実施形態における側断面図、（ｄ）は別の実施形態における側断面図である。
【発明を実施するための形態】
【００１０】
以下、この発明の実施の形態を図面に基づいて説明する。
実施の形態１．
図１はこの発明の実施の形態１における空調用室内機の正面図を示している。
図において、この実施形態による空調用室内機は、箱状に形成された本体ケーシング１６と、本体ケーシング１６内に横置きに配置されていて通風路１９を上部のファン室１７と下部の給気室１８とに区画する基盤１０と、ファン室１７内で基盤１０上に固設されたファンモータ８を含んで成る送風ファン２０と、給気室１８に配備された冷媒回路の熱交換器１１と、基盤１０およびファン室１７の前面に形成された開口部２７を着脱自在に蓋止する化粧パネルなどのパネル部材１と、を備えている。本体ケーシング１６は箱内が通風路１９と成っている。また、基盤１０は本体ケーシング１６内の左右側面および後面１６Ａに固設されている。この基盤１０は、熱交換器１１の空気出側１８Ｂの空気をファン室１７へ通過可能に形成されている。
【００１１】
そして、基盤１０の前面１０Ａ近傍の下面１０Ｂに熱交換器１１の上辺部１１Ａが固設され、給気室１８内の本体ケーシング１６の後面１６Ａに熱交換器１１の下辺部１１Ｂが固設されている。すなわち、熱交換器１１は、後向きに下降する傾斜姿勢で配置されている。これにより、熱交換器１１は給気室１８を空気入側１８Ａと空気出側１８Ｂとに通気可能に仕切っている。また、給気室１８の前面に空気吸込み口２１が形成され、ファン室１７のファンケーシング４に空気吹出し口２２が形成されている。空気吸込み口２１は、通気自在の吸い込みパネル３により着脱可能に蓋止されるようになっている。そして、開口部２７を蓋止した状態のパネル部材１の背面１Ａと、基盤１０の前面１０Ａとの間には、上下方向の気密性を有する軟質材料製の気密部材１５が介在している。この気密部材１５の介在により、給気室１８における熱交換器１１の空気入側１８Ａとファン室１７との間の空気の短絡流通が遮断される。
【００１２】
そして、上記の送風ファン２０は、基盤１０の上面に設置固定されたファンモータ８と、ファンモータ８の回転駆動軸に、モータ側プーリ７，Ｖベルト１３およびファン側プーリ６を介して駆動連結されたシロッコファン５と、シロッコファン５の周囲を囲んで本体ケーシング１６の天板に固定されたファンケーシング４と、から構成されている。ファンケーシング４は空気吹出し口２２を有している。熱交換器１１は、それぞれ図示せぬ、圧縮機、室外側熱交換器、膨張弁とともに冷媒回路の一部を構成している。本体ケーシング１６内の底部には熱交換器１１からのドレンを収受するドレンパン１２が配備され、パネル部材１の前面にはリモートコントローラ２が配備されている。
【００１３】
次に、本発明の特徴部分であるファン室１７の基盤１０とパネル部材１との隙間を埋める気密部材１５について説明する。
空気の短絡流通を防止する気密部材１５は、ゴム、シリコーンゴム、シリコーンスポンジ等のように、振動を吸収して伝達しない軟質材料で構成されていてラビリンス構造を有している。詳しくは、気密部材１５は、図４（ａ）に示すように、一対のラビリンス部材９，１４で構成されている。それぞれのラビリンス部材９，１４は、片面２４Ａが接着剤などで固着される基板部２４と、基板部２４の他面２４Ｂに上下離間して形成された複数の櫛歯状部２５，２５，２５，・・・と、から構成されている。各櫛歯状部２５は、側断面視で三角形型に形成されている。一方のラビリンス部材９は基板部２４の片面２４Ａが接着剤などにより基盤１０の前面１０Ａに接着状態で取り付けられている。他方のラビリンス部材１４は基板部２４の片面２４Ａが接着剤などにより、基盤１０の前面１０Ａと対面する位置のパネル部材１の背面１Ａに接着状態で取り付けられている。これら一対のラビリンス部材９，１４は、互いの複数の櫛歯状部２５，２５，２５，・・・が組み合わされて用いられる。すなわち、ラビリンス部材９の櫛歯状部２５の先端はラビリンス部材１４の基板部２４の他面２４Ｂに非接着状態で圧接され、ラビリンス部材１４の櫛歯状部２５の先端はラビリンス部材９の基板部２４の他面２４Ｂに非接着状態で圧接されている。そして、前記のように組み合わせられた状態で、ラビリンス部材９の櫛歯状部２５とラビリンス部材１４の櫛歯状部２５との間には、空隙２６，２６，２６，・・・が形成される。
【００１４】
次に動作について説明する。
上記のように構成された空調用室内機においては、本体ケーシング１６の上部前面の開口部２７に、パネル部材１が装着されビスなどで固定される。その際、パネル部材１の背面１Ａのラビリンス部材１４が基盤１０の前面１０Ａのラビリンス部材９に組み合わされて、ラビリンス構造が形成される。そこで、冷媒回路を作動させ送風ファン２０を起動させると、シロッコファン５の作用により機外の空気が空気吸込み口２１から給気室１８内に吸い込まれ、熱交換器１１や加湿器（図示省略）などで空気調和される。この空気は基盤１０を通過してファン室１７に流入し、空気吹出し口２２から機外へ吹き出される。その際、基盤１０の前面１０Ａとパネル部材１の背面１Ａとの間に軟質の気密部材１５が配備されているので、空気吸込み口２１から給気室１８の空気入側１８Ａに流入した空気は、基盤１０とパネル部材１との間をバイパスすることなく熱交換器１１を通過するのである。これにより、給気室１８で空気調和されなかった空気がファン室１７内に流入するという不具合が抑止される。一方、送風ファン２０のファンモータ８で生じて基盤１０に伝わった振動は、気密部材１５により吸収されてパネル部材１には伝わらない。
【００１５】
前記のように、気密部材１５はゴムなどの軟質材料で構成されているので、振動の伝達を抑制できる。しかしながら、運転の際にはファン室１７が常に負圧になり、バイパス防止部材をファン室１７内に向けて吸い寄せる力が働くので、バイパス防止部材のみでは上向きに湾曲する。そこで、図４（ａ）に示すように、本体ケーシング１６の左右方向（長手方向）の長さＸ＝３００〜２５００ｍｍに対し、ラビリンス部材９，１４の各寸法値を、上下長Ｌ＝１０ｍｍ以上、前後幅Ｍ＝３ｍｍ以上、櫛歯状部２５の基礎寸法Ｎ＝２ｍｍ以上とすることで、ラビリンス部材９，１４の変形を防止して気密性を確保することができる。
【００１６】
以上のような構成の実施形態１によれば、ファン室１７の基盤１０とパネル部材１との隙間に気密部材１５を設けるようにしたので、従来技術のような気密維持のための複雑な気密構造および断熱材の貼り付けが必要でなく、構成を簡素化できている。また、気密部材１５がゴムなどの軟質材料で構成されているので、送風ファン２０からの振動の伝達を遮断でき、上記したような気密部材１５の必要寸法値を満足させることで、ファン室１７の負圧による気密部材１５の変形を防止できて、気密性の確保が可能になったのである。
そして、気密部材１５の設置範囲変更を可能な構造としたことで、気密しようとする範囲の変更が容易となり、ファン室１７の基盤１０とパネル部材１との隙間の横幅Ｘに違いがある場合でも、好適に対応して完全に気密することができる。
更なる利点として、ラビリンス部材９，１４同士が非接着状態であることから、ラビリンス部材同士の位置決めが容易になる。併せて、気密性の確保も容易となるので、取付け作業を簡単化することができる。加えて、ラビリンス部材９，１４がゴムなどの軟質材料で構成されていることから、ファン室１７の基盤１０からの振動伝達を遮断でき、パネル部材１の振動を抑制することが可能となる。また、金属や硬質樹脂等の硬質材料でないため、気密部材自体の磨耗を防ぐことができる。
【００１７】
尚、上記の実施形態１では、ラビリンス部材９，１４の櫛歯状部２５として、側断面視で三角形型のものを例示したが、本発明はそれに限定されるものでない。例えば、図４（ｂ）に示すように、気密部材１５Ａが、それぞれ側断面視で山形型の櫛歯状部２５Ａを有する一対のラビリンス部材９Ａ，１４Ａで構成されているものでもよい。
あるいは、図４（ｃ）に示すように、気密部材１５Ｂが、それぞれ側断面視で台形型の櫛歯状部２５Ｂを有する一対のラビリンス部材９Ｂ，１４Ｂで構成されているものでも構わない。また、図４（ｄ）に示すように、気密部材１５Ｃが、それぞれ側断面視で四角形型の櫛歯状部２５Ｃを有する一対のラビリンス部材９Ｃ，１４Ｃで構成されているものでもよい。
【００１８】
そして、上記では、開口部２７を蓋止した状態のパネル部材１の背面１Ａと基盤１０の前面１０Ａとの間に、気密部材１５として水平方向に一定の長さ寸法に形成された１組のラビリンス部材９，１４を配置した例を示したが、本発明はそれに限らない。例えば、パネル部材１の背面１Ａと基盤１０の前面１０Ａとの間に、２組以上のラビリンス部材９，１４を水平方向に並べて配置することも可能である。
このような実施形態によれば、２組以上のラビリンス部材が用いられることから、気密部材１５の設置範囲変更が可能となり、ファン室１７と給気室１８の間の気密を維持できる区間の自由度が広がる。同じ構造の気密部材をファン室１７の基盤１０とパネル部材１との間の全ての隙間に適応させることも容易である。また、空気がバイパスする隙間の個体差がある場合についても、軟質材料を採用したことで、ファン室１７と給気室１８との間の空気のバイパス流れを簡便に防止することができる。
【００１９】
ところで、上記に説明した本発明の特徴を損なうものでなければ、各実施形態以外にも本発明を利用できることは、言うまでもない。
【符号の説明】
【００２０】
１  パネル部材
１Ａ  背面
８  ファンモータ
９，９Ａ，９Ｂ，９Ｃ  ラビリンス部材
１０  基盤
１０Ａ  前面
１０Ｂ  下面
１１  熱交換器
１１Ａ  上辺部
１１Ｂ  下辺部
１４，１４Ａ，１４Ｂ，１４Ｃ  ラビリンス部材
１５，１５Ａ，１５Ｂ，１５Ｃ  気密部材
１６  本体ケーシング
１６Ａ  後面
１７  ファン室
１８  給気室
１８Ａ  空気入側
１８Ｂ  空気出側
１９  通風路
２０  送風ファン
２１  空気吸込み口
２２  空気吹出し口
２４  基板部
２４Ａ  片面
２４Ｂ  他面
２５，２５Ａ，２５Ｂ，２５Ｃ  櫛歯状部
２７  開口部
【図１】
2015177824.tif 000003
【図２】
2015177824.tif 000004
【図３】
2015177824.tif 000005
【図４】
2015177824.tif 000006
【手続補正書】
【提出日】平成28年6月8日(2016.6.8)
【手続補正１】
【補正対象書類名】明細書
【補正対象項目名】０００７
【補正方法】変更
【補正の内容】
【０００７】
上記目的を達成するために、この発明に係る空調用室内機は、前面に開口部が形成されているとともに、内部に通風路が形成されている本体ケーシングと、本体ケーシング内に配置されて通風路を上部のファン室と下部の給気室とに通気可能に区画する基盤と、ファン室内で基盤上に設置された送風ファンと、給気室に配備された冷媒回路の熱交換器と、開口部の少なくとも基盤およびファン室の前面に着脱自在に設けられたパネル部材と、を備え、熱交換器は、本体ケーシングの後面に抜かって下降する傾斜姿勢で配置され、パネル部材の背面と、基板の前面との間に気密部材を介在させ、給気室における熱交換器の空気入側とファン室との間の空気流通を遮断したことを特徴とするものである。
【手続補正２】
【補正対象書類名】特許請求の範囲
【補正対象項目名】全文
【補正方法】変更
【補正の内容】
【特許請求の範囲】
【請求項１】
前面に開口部が形成されているとともに、内部に通風路が形成されている本体ケーシングと、前記本体ケーシング内に配置されて前記通風路を上部のファン室と下部の給気室とに通気可能に区画する基盤と、前記ファン室内で前記基盤上に設置された送風ファンと、前記給気室に配備された冷媒回路の熱交換器と、前記開口部の少なくとも前記基盤および前記ファン室の前面に着脱自在に設けられたパネル部材と、を備え、
前記熱交換器は、前記本体ケーシングの後面に抜かって下降する傾斜姿勢で配置され、
前記パネル部材の背面と、前記基板の前面との間に気密部材を介在させ、前記給気室における前記熱交換器の空気入側と前記ファン室との間の空気流通を遮断したことを特徴とする空調用室内機。
【請求項２】
前記気密部材は、軟質材料で構成されていることを特徴とする請求項１に記載の空調用室内機。
【請求項３】
前記本体ケーシングは、前記給気室側に空気吸込み口及び前記ファン室側に空気吹出し口を有し、機外の空気は、前記空気吸込み口から前記本体ケーシング内に吸い込まれ、前記熱交換器および前記基板を通過して前記ファン室に流入し、前記空気吹出し口から吹き出されることを特徴とする請求項１または請求項２に記載の空調用室内機。
【請求項４】
前記熱交換器は、上辺部が前記基盤の前辺部の下面に接続され、下辺部が前記給気室内の後面に接続されていることを特徴とする請求項１〜請求項３のいずれか一項に記載の空調用室内機。
【請求項５】
気密部材は、基盤の前面、または前記基盤の前面と対面するパネル部材の背面に片面が固着される基板部と、前記基板部の他面に上下離間して形成された複数の櫛歯状部とから成るラビリンス部材の一対で構成され、前記一対のラビリンス部材は、複数の櫛歯状部が互いに組み合わされて用いられることを特徴とする請求項１〜請求項４のいずれか一項に記載の空調用室内機。
【請求項６】
前記開口部を蓋止した状態の前記パネル部材の背面と、前記基盤の前面との間に、２以上の気密部材を介在させることを特徴とする請求項１〜請求項５のいずれか一項に記載の空調用室内機。
【国際調査報告】
2015177824.tif 000007
2015177824.tif 000008
2015177824.tif 000009
2015177824.tif 000010